(57)【要約】【課題】プレキャスト床版における全ての主桁の上方となる部位でのプレキャスト床版の高さ調節を必要としないプレキャスト床版及びプレキャスト床版の架設方法を提供する。【解決手段】橋梁９の橋幅方向Ｙに３以上の主桁２を並べて設けて、橋幅方向Ｙの中間に設けられた中間主桁２１の上部２１ａの上面に仮沓３を設置する第１工程と、橋幅方向Ｙの両端に設けられた両端主桁２２の上方となる両端部位１１ａにボルト孔１２が設けられ、かつ、中間主桁２１の上方となる中間部位１１ｂにボルト孔１２が設けられていないプレキャスト床版１を、主桁２の上部２ａに設置する第２工程と、両端部位１１ａに設けられたボルト孔１２に取り付けられた高さ調節ボルト１４の先端部１４ａを、プレキャスト床版１の下面１ｂから突出させることにより、両端主桁２２の上部２２ａの上面に当接させて、プレキャスト床版１の高さを調節する第３工程とを備える。【選択図】図１
2014020137.tif 000002
【特許請求の範囲】
【請求項１】
橋梁の橋幅方向に３以上の主桁を並べて設けて、プレキャスト床版を架設するプレキャスト床版の架設方法において、
橋幅方向に並べて設けられた３以上の主桁のうち、橋幅方向の中間に設けられた中間主桁の上面に仮沓を設置する第１工程と、
前記３以上の主桁のうち橋幅方向の両端に設けられた両端主桁の上方となる部位に上下方向に貫通するボルト孔が設けられ、かつ、前記中間主桁の上方となる部位に前記ボルト孔が設けられていないプレキャスト床版を、前記主桁の上部に設置する第２工程と、
前記両端主桁の上方となる部位に設けられた前記ボルト孔に取り付けられた高さ調節ボルトの先端部を、前記プレキャスト床版の下面から突出させることにより、前記両端主桁の上面に当接させて、前記プレキャスト床版の高さを調節する第３工程とを備えること
を特徴とするプレキャスト床版の架設方法。
【請求項２】
前記第１工程では、橋幅方向に並べて設けられた３以上の鋼製の主桁のうち、橋幅方向の中間に設けられた中間主桁の上面にゴム製の仮沓を設置するとともに、
前記第３工程では、前記両端主桁の上方となる部位に設けられた前記ボルト孔に埋め込まれた高さ調節金具に対して上方から螺合させて取り付けられた高さ調節ボルトを、前記ボルト孔で回動させて、前記高さ調節ボルトの先端部を、前記プレキャスト床版の下面から突出させることにより、前記両端主桁の上面に当接させて、前記プレキャスト床版の高さを調節すること
を特徴とする請求項１に記載のプレキャスト床版の架設方法。
【請求項３】
橋梁の橋幅方向に並べて設けられた３以上の主桁の上部に架設されるプレキャスト床版において、
橋幅方向に並べて設けられた３以上の主桁のうち橋幅方向の両端に設けられた両端主桁の上方となる部位に上下方向に貫通するボルト孔が設けられ、かつ、橋幅方向の中間に設けられた中間主桁の上面に設置される仮沓の上方となる部位に前記ボルト孔が設けられていないこと
を特徴とするプレキャスト床版。
【発明の詳細な説明】
【技術分野】
【０００１】
本発明は、橋梁の下部工となる橋脚に設けられた主桁に対して、橋梁の上部工として架設されるプレキャスト床版及びプレキャスト床版の架設方法に関するものである。
【背景技術】
【０００２】
従来より、橋梁を構築することを目的として、特許文献１に開示されるようなプレキャスト床版及びプレキャスト床版の架設方法が提案されている。
【０００３】
特許文献１に開示されたプレキャスト床版は、橋幅方向に２つの主桁を並べて、プレキャスト床版における全ての主桁の上方となる部位において、プレキャスト床版を上下方向に貫通する箱抜き部分が設けられるものである。
【０００４】
また、特許文献１に開示されたプレキャスト床版の架設方法は、プレキャスト床版における全ての主桁の上方となる部位において、プレキャスト床版に設けられた全ての箱抜き部分にジベルを取り付けて、これらのジベルにおいてプレキャスト床版の水平方向の移動を制限するためのせん断抵抗をさせるとともに、これらの箱抜き部分においてジベルを利用してプレキャスト床版を上下方向に移動させることにより、主桁の上部に架設されるプレキャスト床版の高さを調節するものである。
【先行技術文献】
【特許文献】
【０００５】
【特許文献１】特開２００２−３５６８１４号公報
【発明の概要】
【発明が解決しようとする課題】
【０００６】
しかし、特許文献１に開示されたプレキャスト床版の架設方法は、プレキャスト床版における全ての主桁の上方となる部位に箱抜き部分が設けられ、全ての箱抜き部分においてジベルを利用してプレキャスト床版を上下方向に移動させることにより、主桁の上部に架設されるプレキャスト床版の高さを調節する必要があり、プレキャスト床版の架設に要する手間が増大するという問題点があった。
【０００７】
さらに、特許文献１に開示されたプレキャスト床版の架設方法は、プレキャスト床版を主桁の上部に設置した後に、プレキャスト床版の箱抜き部分にモルタルを充填して固結させるものである。このため、特許文献１に開示されたプレキャスト床版は、箱抜き部分において、経年によってプレキャスト床版からモルタルが剥離して、プレキャスト床版とモルタルとの界面に水みちが形成され、水みちを経由した雨水等によって、鋼製の主桁の上部が腐食するおそれがあり、全ての主桁の上部が劣化するおそれがあるという問題点があった。
【０００８】
そこで、本発明は、上述した問題点に鑑みて案出されたものであり、その目的とするところは、プレキャスト床版における全ての主桁の上方となる部位でのプレキャスト床版の高さ調節を必要としないプレキャスト床版及びプレキャスト床版の架設方法を提供することにある。
【課題を解決するための手段】
【０００９】
第１発明に係るプレキャスト床版の架設方法は、橋梁の橋幅方向に３以上の主桁を並べて設けて、プレキャスト床版を架設するプレキャスト床版の架設方法において、橋幅方向に並べて設けられた３以上の主桁のうち、橋幅方向の中間に設けられた中間主桁の上面に仮沓を設置する第１工程と、前記３以上の主桁のうち橋幅方向の両端に設けられた両端主桁の上方となる部位に上下方向に貫通するボルト孔が設けられ、かつ、前記中間主桁の上方となる部位に前記ボルト孔が設けられていないプレキャスト床版を、前記主桁の上部に設置する第２工程と、前記両端主桁の上方となる部位に設けられた前記ボルト孔に取り付けられた高さ調節ボルトの先端部を、前記プレキャスト床版の下面から突出させることにより、前記両端主桁の上面に当接させて、前記プレキャスト床版の高さを調節する第３工程とを備えることを特徴とする。
【００１０】
第２発明に係るプレキャスト床版の架設方法は、第１発明において、前記第１工程では、橋幅方向に並べて設けられた３以上の鋼製の主桁のうち、橋幅方向の中間に設けられた中間主桁の上面にゴム製の仮沓を設置するとともに、前記第３工程では、前記両端主桁の上方となる部位に設けられた前記ボルト孔に埋め込まれた高さ調節金具に対して上方から螺合させて取り付けられた高さ調節ボルトを、前記ボルト孔で回動させて、前記高さ調節ボルトの先端部を、前記プレキャスト床版の下面から突出させることにより、前記両端主桁の上面に当接させて、前記プレキャスト床版の高さを調節することを特徴とする。
【００１１】
第３発明に係るプレキャスト床版は、橋梁の橋幅方向に並べて設けられた３以上の主桁の上部に架設されるプレキャスト床版において、橋幅方向に並べて設けられた３以上の主桁のうち橋幅方向の両端に設けられた両端主桁の上方となる部位に上下方向に貫通するボルト孔が設けられ、かつ、橋幅方向の中間に設けられた中間主桁の上面に設置される仮沓の上方となる部位に前記ボルト孔が設けられていないことを特徴とする。
【発明の効果】
【００１２】
第１発明、第２発明によれば、プレキャスト床版の両端部位に設けられたボルト孔においてのみ高さ調節ボルトを上下に移動させ、中間部位におけるプレキャスト床版の高さの調節を必要としないものとなる。このため、第１発明、第２発明によれば、大型のインパクトレンチ等を用いて高さ調節ボルトを回動させる箇所を少なくすることができ、プレキャスト床版の架設に要する手間を軽減させることが可能となる。また、第１発明、第２発明によれば、雨水等による全ての鋼製の主桁の上部の劣化を回避することが可能となる。
【００１３】
また、第１発明、第２発明によれば、複数の主桁の上部の上面で高さ調節ボルトの先端部を回動させる箇所を少なくすることができ、主桁の上部の損傷を軽減させることが可能となる。さらに、第１発明、第２発明によれば、添接版のボルトと高さ調節ボルトの先端部との干渉を回避することができ、プレキャスト床版を主桁の上部に設置することを容易にすることが可能となる。
【００１４】
また、第３発明によれば、第１発明、第２発明に係るプレキャスト床版の架設方法の実施を実現するプレキャスト床版を提供することが可能となるとともに、プレキャスト床版の両端部位においてのみボルト孔が設けられ、中間部位においてボルト孔が設けられないものであることから、ボルト孔が設けられる箇所を少なくすることができるため、プレキャスト床版の断面欠損を減少させることができ、プレキャスト床版の強度を向上させることが可能となる。
【図面の簡単な説明】
【００１５】
【図１】本発明に係るプレキャスト床版が設置された橋梁を示す斜視図である。
【図２】本発明に係るプレキャスト床版の架設方法の第２工程を示す側面図である。
【図３】本発明に係るプレキャスト床版の架設方法の第１工程を示す斜視図である。
【図４】（ａ）は、本発明に係るプレキャスト床版を示す側面図であり、（ｂ）は、本発明に係るプレキャスト床版のボルト孔を示す拡大側方断面図である。
【図５】（ａ）は、本発明に係るプレキャスト床版の架設方法の第３工程を示す側面図であり、（ｂ）は、本発明に係るプレキャスト床版の架設方法の第３工程を示すボルト孔の拡大側方断面図である。
【図６】コンクリート床版の孔部にモルタルを充填させて固結させた態様を示す拡大側方断面図である。
【発明を実施するための形態】
【００１６】
以下、本発明を適用したプレキャスト床版を実施するための形態について、図面を参照しながら詳細に説明する。
【００１７】
本発明を適用したプレキャスト床版１は、図１に示すように、複数のプレキャスト床版１を橋軸方向Ｘに連続させて並べることにより、橋梁９の上部工を構築するものである。本発明を適用したプレキャスト床版１は、橋梁９が設けられる地盤９ａに下部工として立設された橋脚９１の頭部９１ａに橋幅方向Ｙに並べて設けられた複数の主桁２の上部２ａに設置される。
【００１８】
複数の主桁２は、図２に示すように、橋幅方向Ｙに並べて設けられた複数の主桁２のうち、橋幅方向Ｙの中間に設けられた中間主桁２１と、橋幅方向Ｙの両端に設けられた両端主桁２２とを備える。複数の主桁２は、図示の例において、橋幅方向Ｙに４本並べて設けられるものであるが、これに限らず、橋幅方向Ｙに３本以上の如何なる数量が並べて設けられてもよい。
【００１９】
複数の主桁２は、上下方向に延びるように設けられたウェブと、ウェブの上下端に設けられたフランジとを有するＨ形鋼が用いられる。複数の主桁２は、これに限らず、中間主桁２１の上部２１ａと、両端主桁２２の上部２２ａとに、プレキャスト床版１を設置できるものであれば、如何なる材質及び形状のものが用いられてもよい。
【００２０】
中間主桁２１は、図３に示すように、中間主桁２１の上部２１ａの上面に仮沓３が設置される。これに対して、両端主桁２２は、両端主桁２２の上部２２ａの上面に仮沓３を設置しないものとすることができる。
【００２１】
中間主桁２１は、各々の中間主桁２１の上部２１ａの上面において、各々に２個の仮沓３が設置されるものであるが、これに限らず、如何なる数量の仮沓３が設置されてもよい。中間主桁２１は、例えば、橋幅方向Ｙに４本以上並べて主桁２を設けた場合に、一部の中間主桁２１において、中間主桁２１の上部２１ａの上面に仮沓３を設置しないものとすることもできる。
【００２２】
仮沓３は、主に、幅１００ｍｍ、奥行き１５０ｍｍ、高さ３０ｍｍ〜１００ｍｍの直方体形状のゴム製のものが用いられるが、これに限らず、プレキャスト床版１を支持することができるものであれば、如何なる材質及び形状のものが用いられてもよい。
【００２３】
本発明を適用したプレキャスト床版１は、図４（ａ）に示すように、上面１ａと下面１ｂとを有する平板状のプレキャストコンクリートが用いられる。本発明を適用したプレキャスト床版１は、主桁２の上部２ａに設置されたときに両端主桁２２の上方となる両端部位１１ａにおいて、プレキャスト床版１の高さ調節に用いられるボルト孔１２が設けられる。同時に、本発明を適用したプレキャスト床版１は、中間主桁２１の上方となる中間部位１１ｂにおいて、プレキャスト床版１の高さ調節に用いられるボルト孔１２を設けないものとされる。
【００２４】
ボルト孔１２は、図４（ｂ）に示すように、プレキャスト床版１の上面１ａと下面１ｂとを連通するようにして、プレキャスト床版１を上下方向に貫通させて設けられる。ボルト孔１２は、さらに、プレキャスト床版１の内部に高さ調節金具１３を埋め込むことができる。
【００２５】
高さ調節金具１３は、上下方向に貫通された筒状体の金具が用いられ、断面円形状の外周部１３ａと、断面円形状のねじ切り加工された内周部１３ｂとを有する。高さ調節金具１３は、外周部１３ａにおいて、断面円形状の筒状部分と、上方から下方にかけて断面円形状の円周が縮径されたテーパ部分とを有し、外周部１３ａがプレキャスト床版１のコンクリートの内部に埋め込まれて取り付けられる。高さ調節金具１３は、ねじ切り加工された内周部１３ｂにおいて、高さ調節ボルト１４がプレキャスト床版１の上方から螺合されて取り付けられる。
【００２６】
本発明を適用したプレキャスト床版１は、中間主桁２１の上方となる中間部位１１ｂにおいて、ボルト孔１２を設けないものとされるため、中間部位１１ｂにおいてもボルト孔１２が設けられた場合と比較して、プレキャスト床版１の断面欠損を減少させることができ、プレキャスト床版１の強度を向上させることが可能となる。
【００２７】
次に、本発明を適用したプレキャスト床版の架設方法について、図面を参照しながら詳細に説明する。
【００２８】
本発明を適用したプレキャスト床版１の架設方法は、図３に示すように、第１工程において、橋脚９１の頭部９１ａに橋幅方向Ｙに並べて設けられた複数の主桁２のうち、橋幅方向Ｙの中間に設けられた各々の中間主桁２１の上部２１ａの上面に、各々２個ずつ仮沓３を設置するものである。
【００２９】
次に、本発明を適用したプレキャスト床版１の架設方法は、図２に示すように、第２工程において、橋脚９１の頭部９１ａに橋幅方向Ｙに並べて設けられた複数の主桁２の上部２ａに、プレキャスト床版１を設置するものである。
【００３０】
このとき、プレキャスト床版１は、第１工程で設置された仮沓３の上面と、プレキャスト床版１の中間部位１１ｂにおける下面１ｂとが当接することになり、仮沓３によって支持されることになる。また、仮沓３は、ゴムのような弾性体を材質とすることで、プレキャスト床版１を第２工程において設置するときに、緩衝材としての役割を担わせることが可能となる。
【００３１】
さらに、本発明を適用したプレキャスト床版１の架設方法は、図５（ａ）に示すように、第３工程において、両端主桁２２の上方となるプレキャスト床版１の両端部位１１ａで、ボルト孔１２に取り付けられた高さ調節ボルト１４の先端部１４ａを、プレキャスト床版１の下面１ｂから突出させるものである。
【００３２】
このとき、本発明を適用したプレキャスト床版１の架設方法は、図５（ｂ）に示すように、コンクリートの内部に取り付けられた高さ調節金具１３の内周部１３ｂに螺合させて取り付けられた高さ調節ボルト１４を、ボルト孔１２において上方から大型のインパクトレンチ等を用いて回動させることにより、高さ調節ボルト１４を上下に移動させることができる。
【００３３】
本発明を適用したプレキャスト床版１の架設方法は、高さ調節ボルト１４の先端部１４ａが両端主桁２２の上部２２ａの上面に当接され、ボルト孔１２において高さ調節ボルト１４を回動させることにより、高さ調節ボルト１４が両端主桁２２の上部２２ａの上面から反力を受けてプレキャスト床版１の高さが調節されることになる。
【００３４】
このとき、仮沓３は、ゴムのような弾性体を材質としており、第２工程で設置されたプレキャスト床版１の中間部位１１ｂにおける下面１ｂから、プレキャスト床版１の自重を受けて圧縮された状態となっている。このため、仮沓３は、第３工程でプレキャスト床版１の高さが調節され、プレキャスト床版１が所定の距離だけ上方に移動した場合であっても、第１工程で設置された仮沓３の上面と、第２工程で設置されたプレキャスト床版１の中間部位１１ｂにおける下面１ｂとが当接した状態を維持して、仮沓３の脱離を防止することが可能となる。
【００３５】
本発明を適用したプレキャスト床版１の架設方法は、プレキャスト床版１の両端部位１１ａに設けられたボルト孔１２においてのみ高さ調節ボルト１４を上下に移動させ、中間部位１１ｂにおけるプレキャスト床版１の高さの調節を必要としないものである。
【００３６】
このため、本発明を適用したプレキャスト床版１の架設方法は、大型のインパクトレンチ等を用いて高さ調節ボルト１４を回動させる箇所を少なくすることができ、プレキャスト床版１の全ての部位でプレキャスト床版１の高さを調節する場合と比較して、プレキャスト床版１の架設に要する手間を軽減させることが可能となる。
【００３７】
また、本発明を適用したプレキャスト床版１の架設方法は、複数の主桁２の上部２ａの上面で高さ調節ボルト１４の先端部１４ａを回動させる箇所を少なくすることができ、橋幅方向Ｙに並べて設けられた全ての主桁２でプレキャスト床版１の高さを調節する場合と比較して、主桁２の上部２ａの損傷を軽減させることが可能となる。
【００３８】
ここで、橋梁９の橋軸方向Ｘに連設される主桁２は、図３に示すように、隣り合う主桁２の上部２ａに添接版２３を設けて、上下方向にボルト２３ａを用いて締結されるのが一般的である。このとき、本発明を適用したプレキャスト床版１の架設方法は、複数の主桁２の上部２ａの上面で高さ調節ボルト１４の先端部１４ａを回動させる箇所を少なくすることができ、添接版２３のボルト２３ａと高さ調節ボルト１４の先端部１４ａとの干渉を回避することができる。このため、本発明を適用したプレキャスト床版１の架設方法は、橋幅方向Ｙに並べて設けられた全ての主桁２でプレキャスト床版１の高さを調節する場合と比較して、プレキャスト床版１を主桁２の上部２ａに設置することを容易にすることが可能となる。
【００３９】
一般的に、コンクリート床版１００の架設においては、図６に示すように、コンクリート床版１００の高さを調節した後に、コンクリート床版１００に設けられた孔部１０１にモルタル１０２が充填されて固結される。したがって、コンクリート床版１００からモルタル１０２が経年により剥離して、コンクリート床版１００とモルタル１０２との界面１００ａに水みち１００ｂが形成されることになり、このとき、水みち１００ｂを経由した雨水等によって鋼製の主桁２の上部２ａが腐食させられるおそれがある。
【００４０】
本発明を適用したプレキャスト床版１の架設方法は、プレキャスト床版１の両端部位１１ａにおいてのみボルト孔１２が設けられ、中間部位１１ｂにおいてボルト孔１２が設けられないものであることから、中間主桁２１の上部２１ａの劣化を回避することができ、また、ボルト孔１２が設けられる箇所を少なくすることができるため、雨水等によって全ての鋼製の主桁２の上部２ａが劣化することを回避することが可能となる。
【００４１】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００４２】
例えば、本発明を適用したプレキャスト床版１は、中間部位１１ｂにおいてのみボルト孔１２を設けて、両端部位１１ａにおいてボルト孔１２を設けないものとすることもでき、本発明を適用したプレキャスト床版１の架設方法は、第１工程において、両端主桁２２の上部２２ａの上面に仮沓３を設置して、第３工程において、中間主桁２１の上方となるプレキャスト床版１の中間部位１１ｂで、ボルト孔１２に取り付けられた高さ調節ボルト１４の先端部１４ａを、プレキャスト床版１の下面１ｂから突出させるものとすることもできる。
【符号の説明】
【００４３】
１        ：プレキャスト床版
１ａ      ：プレキャスト床版の上面
１ｂ      ：プレキャスト床版の下面
１１ａ    ：両端部位
１１ｂ    ：中間部位
１２      ：ボルト孔
１３      ：高さ調節金具
１３ａ    ：外周部
１３ｂ    ：内周部
１４      ：高さ調節ボルト
１４ａ    ：高さ調節ボルトの先端部
２        ：主桁
２ａ      ：主桁の上部
２１      ：中間主桁
２１ａ    ：中間主桁の上部
２２      ：両端主桁
２２ａ    ：両端主桁の上部
２３      ：添接版
２３ａ    ：ボルト
３        ：仮沓
９        ：橋梁
９ａ      ：地盤
９１      ：橋脚
９１ａ    ：頭部
Ｘ        ：橋軸方向
Ｙ        ：橋幅方向
【図１】
2014020137.tif 000003
【図２】
2014020137.tif 000004
【図３】
2014020137.tif 000005
【図４】
2014020137.tif 000006
【図５】
2014020137.tif 000007
【図６】
2014020137.tif 000008